(57)【要約】【課題】組立性が向上された面光源装置及びこれを有する液晶表示装置を提供する。【解決手段】面光源装置は放電電圧を発生させる駆動手段、放電空間を有する光源本体と、光源本体の両端部の外側表面にそれぞれ第１方向に延長されるように形成される第１及び第２外部電極とを含む発光手段、及び光源本体に結合されて第１及び第２外部電極にそれぞれ接触される第１及び第２クリップを含んで駆動手段から発生された放電電圧を第１及び第２外部電極に印加するための電圧印加手段を含む。この時、第１及び第２クリップは放電電圧を印加するための制１及び第２電源線との連結のために電源線結合部を有することができる。よって、第１及び第２クリップを通じて第１及び第２外部電極に放電電圧を印加することで、電気的、機具的信頼性を向上させることができる。【選択図】図１
2005174926.tif 000002
【特許請求の範囲】
【請求項１】
放電電圧を発生させる駆動手段と、
放電空間を有する光源本体と、前記光源本体の両端部の外側表面にそれぞれ第１方向に延長されるように形成される第１及び第２外部電極とを含む発光手段と、
前記光源本体と結合されて前記第１及び第２外部電極にそれぞれ接触される第１及び第２クリップを含み、前記駆動手段から発生された放電電圧を前記第１及び第２外部電極に印加するための電圧印加手段と、
を含む面光源装置。
【請求項２】
前記第１及び第２クリップは弾性を有する導電性物質であることを特徴とする請求項１記載の面光源装置。
【請求項３】
前記第１及び第２クリップそれぞれは、
前記光源本体の上部面に配置される第１面と、
前記第１面から延長されて前記光源本体の側面に配置される第２面と、
前記第２面から延長されて前記光源本体の下部面に配置される第３面と、を含むことを特徴とする請求項１記載の面光源装置。
【請求項４】
前記第１及び第２クリップそれぞれは、
前記第１面から延長されて前記光源本体の上部面方向に折曲される第１折曲部と、
前記第３面から延長されて前記光源本体の下部面方向に折曲される第２折曲部と、をさらに含むことを特徴とする請求項３記載の面光源装置。
【請求項５】
前記光源本体は、
前記上部面に形成されて前記第１折曲部が結合される第１結合溝と、
前記下部面に形成されて前記第２折曲部が結合される第２結合溝と、をさらに含むことを特徴とする請求項４記載の面光源装置。
【請求項６】
前記第１及び第２クリップは、前記光源本体に前記第１方向に介在され前記第１及び第２外部電極にそれぞれ接触されることを特徴とする請求項１記載の面光源装置。
【請求項７】
前記第１クリップは、前記光源本体に前記第１方向に垂直する第２方向に介在され前記第１外部電極に接触され、前記第２クリップは前記第２方向の反対である第３方向に介在され前記第２外部電極に接触されることを特徴とする請求項１記載の面光源装置。
【請求項８】
前記電圧印加手段は、前記駆動手段と前記第１及び第２クリップとを電気的に連結する第１及び第２電源線をさらに含むことを特徴とする請求項１記載の面光源装置。
【請求項９】
前記第１及び第２電源線それぞれは、前記第１及び第２クリップにはんだ付けされて連結されることを特徴とする請求項８記載の面光源装置。
【請求項１０】
前記第１及び第２クリップそれぞれは、前記第１及び第２電源線との連結のための電源線結合部をさらに含むことを特徴とする請求項８記載の面光源装置。
【請求項１１】
前記電源線結合部は、表面から所定高さに突き出された突起形状を有し、前記電源線結合部には前記第１及び第２電源線との連結のためのホールが形成されることを特徴とする請求項１０記載の面光源装置。
【請求項１２】
前記電源線結合部は、
表面から切開されて所定の高さに突き出された翼形状を有し、前記第１及び第２電源線を包んでいる外皮を固定する第１固定突起と、
表面から切開されて所定の高さに突き出された翼形状を有し、前記第１及び第２電源線を固定する第２固定突起と、を含むことを特徴とする請求項１０記載の面光源装置。
【請求項１３】
前記第１及び第２外部電極は、前記光源本体の上部面と下部面に形成されることを特徴とする請求項１記載の面光源装置。
【請求項１４】
前記光源本体は、
第１基板と、
前記第１基板と一定の距離分だけ離隔されて対向する第２基板と、
前記第１基板と第２基板との間に配置されて前記放電空間を形成する密封部材と、を含むことを特徴とする請求項１記載の面光源装置。
【請求項１５】
前記光源本体は、前記放電空間内に配置され、前記放電空間を複数の放電領域で分割するために前記第１方向に垂直する第２方向に延長されて形成される複数の空間分割部材をさらに含むことを特徴とする請求項１４記載の面光源装置。
【請求項１６】
前記空間分割部材は、長さ方向の両端部のうち少なくとも一つの端部が前記密封部材と一定の距離で離隔されることを特徴とする請求項１５記載の面光源装置。
【請求項１７】
放電空間を有する光源本体と、前記光源本体の両端部の外側表面にそれぞれ第１方向に延長されるように形成される第１及び第２外部電極とを含む面光源と、
前記光源本体に結合されて前記第１及び第２外部電極にそれぞれ接触される第１及び第２クリップと、
前記面光源を収納する収納容器と、
前記面光源に印加される放電電圧を発生させるインバーターと、
前記面光源の上部に配置され、前記面光源から発生された光を利用して映像を表示する液晶表示パネルと、
を含む液晶表示装置。
【請求項１８】
前記第１及び第２クリップそれぞれは、
前記光源本体の上部面に配置される第１面と、
前記第１面から延長されて前記光源本体の側面に配置される第２面と、
前記第２面から延長されて前記光源本体の下部面に配置される第３面と、を含むことを特徴とする請求項１７記載の液晶表示装置。
【請求項１９】
前記第１及び第２クリップは、前記光源本体に前記第１方向に介在され前記第１及び第２外部電極にそれぞれ接触されることを特徴とする請求項１７記載の液晶表示装置。
【請求項２０】
前記第１クリップは、前記光源本体に前記第１方向に垂直する第２方向に介在され前記第１外部電極に接触され、前記第２クリップは前記第２方向の反対である第３方向に介在され前記第２外部電極に接触されることを特徴とする請求項１７記載の液晶表示装置。
【請求項２１】
前記収納容器は、底面及び前記底面から延長された側壁からなり、前記底面及び側壁には前記第１及び第２クリップの形状に対応される収納溝が形成されることを特徴とする請求項１７記載の液晶表示装置。
【請求項２２】
前記インバーターと前記第１及び第２クリップを電気的に連結するための制１及び第２電源線をさらに含むことを特徴とする請求項１７記載の液晶表示装置。
【請求項２３】
前記面光源と前記液晶表示パネルとの間に配置される光学シートをさらに含むことを特徴とする請求項１７記載の液晶表示装置。
【発明の詳細な説明】
【技術分野】
【０００１】
本発明は面光源装置及びこれを有する液晶表示装置に関し、さらに詳細には平板形態の光源本体と光源本体の両端部の外側表面に形成された外部電極を有する面光源装置及びこれを有する液晶表示装置に関する。
【背景技術】
【０００２】
最近、情報処理器機は多様な形態、多様な機能、さらに速くなった情報処理速度を有するように急速に発展しつつある。このような情報処理装置で処理された情報は電気的信号形態を有する。従って、使用者は情報処理装置で処理された情報を肉眼で確認するために表示装置を必要とする。
【０００３】
このような表示装置のうち、液晶表示装置は液晶を利用して映像を表示する平板表示装置の一つとして、他の表示装置に比べて薄くて軽く、低消費全力及び低駆動電圧を有するという長所があって、産業全般にわたって幅広く使われている。
【０００４】
このような液晶表示装置は映像を表示するための液晶表示パネルが自ら発光することができない非発光性素子なので別途の光源を提供するバックライトアセンブリを必要とする。
【０００５】
従来のバックライトアセンブリは光源の位置によって、大きくエッジ型と直下型とで分類される。エッジ型は透明導光板の側面に光源を位置させて導光板の一面を利用して光を多重反射させることで得た面光源を液晶表示パネルに出射する方式であり、直下型は複数の光源を液晶表示パネルの直下部に位置させて光源の全面には拡散板を配置し、光源の背面には反射板を配置して光源から発散された光を反射、拡散させる方式である。直下型は高い輝度を得ることができるので高輝度が要求されるバックライトアセンブリに適合するが、輝度均一度の低い短所がある。これに比べてエッジ型は輝度は低いが輝度均一度の高いという長所がある。
【０００６】
このような方式のバックライトアセンブリは、光源で円柱形状を有する冷陰極線管方式ランプまたはドット形状を有する発光ダイオードが主に使われる。冷陰極線管方式ランプは、輝度が高くて寿命が長く、白熱灯に比べて非常に小さな発熱量を有するという長所を有する。一方、発光ダイオードは小型及び低消費全力の長所を有する。しかし、従来の冷陰極線管方式ランプまたは発光ダイオードを利用するバックライトアセンブリは輝度が低く、輝度均一度が脆弱な短所を有する。
【０００７】
従って、冷陰極線管方式ランプまたは発光ダイオードを光源として有するバックライトアセンブリは輝度を高め輝度均一度を向上させるために導光板、拡散部材及びプリズムシートなどのような光学部材を含む。これにより、冷陰極線管方式ランプまたは発光ダイオードを使う液晶表示装置は光学部材による嵩、重さ及び製造原価が大きく増加される問題点を有する。
【０００８】
このような問題点を解消するため、最近には平板形態の面光源装置に対する開発が進行されている。面光源装置は放電空間を形成する光源本体、前記光源本体の内部に配置されて前記放電空間を複数の放電領域で区分するための複数の空間分割部材を含む。また、面光源装置は前記光源本体の両端部の内部または外部に形成される電極を含む。インバーターから発生された放電電圧は電源線を通じて前記電極に印加される。この時、前記電源線は前記電極にはんだ付けにより固定される。
【発明の開示】
【発明が解決しようとする課題】
【０００９】
しかし、面光源装置において、このような電源線の電極へのはんだ付けによる固定は電気的特性面では優秀であるが、薄膜形態の前記電極にはんだ付けすることによって、外部の衝撃などに脆弱な面があり、はんだ付けの際、加えられた熱によって前記電極が損傷され得る問題点がある。
【００１０】
従って、本発明はこのような従来の問題点を勘案したもので、本発明の第１目的は電気的、機具的信頼性を向上させることができる面光源装置を提供することにある。
【００１１】
本発明の第２目的は電気的、機具的信頼性が向上された面光源装置を有する液晶表示装置を提供することにある。
【課題を解決するための手段】
【００１２】
上述した本発明の第１目的を達成するために、本願第１発明は、駆動部、発光部及び電圧印加部を含む面光源装置を提供する。
【００１３】
前記駆動部は前記発光部に印加するための放電電圧を発生させる。
【００１４】
前記発光部は放電空間を有する光源本体、前記光源本体の両端部の外側表面にそれぞれ第１方向に延長されるように形成される第１及び第２外部電極を含む。
【００１５】
前記電圧印加部は前記光源本体に結合されて前記第１及び第２外部電極にそれぞれ接触される第１及び第２クリップを含み、前記駆動部から発生された放電電圧を前記第１及び第２外部電極に印加する。このような面光源装置及びこれを有する液晶表示装置によると、光源本体の両端部に形成された外部電極を有する面光源に外部電極と接触されるようにクリップを結合し、インバーターから発生された放電電圧をクリップを通じて外部電極に印加することで、電気的、機具的信頼性を向上させることができる。
【００１６】
本願第２発明は、本願第１発明において、前記第１及び第２クリップは弾性を有する導電性物質であることを特徴とする面光源装置を提供する。弾性を利用することで第１及び第２外部電極との接触のために光源本体への挿入が容易であり、かつ弾性により光源本体に圧着固定される。また、導電性材質であることから駆動部からの放電電圧を第１及び第２外部電極に印加することができる。
【００１７】
本願第３発明は、本願第１発明において、前記第１及び第２クリップそれぞれは、前記光源本体の上部面に配置される第１面と、前記第１面から延長されて前記光源本体の側面に配置される第２面と、前記第２面から延長されて前記光源本体の下部面に配置される第３面と、を含むことを特徴とする面光源装置を提供する。
【００１８】
本願第４発明は、本願第３発明において、前記第１及び第２クリップそれぞれは、前記第１面から延長されて前記光源本体の上部面方向に折曲される第１折曲部と、前記第３面から延長されて前記光源本体の下部面方向に折曲される第２折曲部と、をさらに含むことを特徴とする面光源装置を提供する。前述の折曲部により、第１及び第２クリップを光源本体に容易に挿入することができる。
【００１９】
本願第５発明は、本願第１発明において、前記光源本体は、前記上部面に形成されて前記第１折曲部が結合される第１結合溝と、前記下部面に形成されて前記第２折曲部が結合される第２結合溝と、をさらに含むことを特徴とする面光源装置を提供する。従って、第１及び第２クリップは光源本体に介在された後、第１及び第２折曲部が第１及び第２結合溝にそれぞれ結合されることによって、第１及び第２クリップと光源本体との間の結合力を向上させ、第１及び第２クリップの流動及び離脱を防止することができる。
【００２０】
本願第６発明は、本願第１発明において、前記第１及び第２クリップは、前記光源本体に前記第１方向に介在され前記第１及び第２外部電極にそれぞれ接触されることを特徴とする面光源装置を提供する。駆動手段が発生した放電電圧を第１及び第２クリップを介して第１及び第２外部電極に提供することができる。
【００２１】
本願第７発明は、本願第１発明において、前記第１クリップは、前記光源本体に前記第１方向に垂直する第２方向に介在され前記第１外部電極に接触され、前記第２クリップは前記第２方向の反対である第３方向に介在され前記第２外部電極に接触されることを特徴とする面光源装置を提供する。
【００２２】
本願第８発明は、本願第１発明において、前記電圧印加手段は、前記駆動手段と前記第１及び第２クリップとを電気的に連結する第１及び第２電源線をさらに含むことを特徴とする面光源装置を提供する。第１及び第２電源線により駆動手段と第１及び第２クリップとの自由度を確保しつつ電気的に連結することができる。
【００２３】
本願第９発明は、本願第８発明において、前記第１及び第２電源線それぞれは、前記第１及び第２クリップにはんだ付けされて連結されることを特徴とする面光源装置を提供する。はんだ付けにより第１及び第２電源線と第１及び第２クリップとを確実に固定することができる。
【００２４】
本願第１０発明は、本願第８発明において、前記第１及び第２クリップそれぞれは、前記第１及び第２電源線との連結のための電源線結合部をさらに含むことを特徴とする面光源装置を提供する。このように、第１及び第２クリップの電源線結合部に第１及び第２電源線を連結することで、はんだ付け工程をとり除くことができる。
【００２５】
本願第１１発明は、本願第１０発明において、前記電源線結合部は、表面から所定高さに突き出された突起形状を有し、前記電源線結合部には前記第１及び第２電源線との連結のためのホールが形成されることを特徴とする面光源装置を提供する。
【００２６】
上記のような電源線結合部は駆動手段から印加される放電電圧が第１及び第２クリップを通じて第１及び第２外部電極に伝達するように第１及び第２電源線を固定する機能を遂行する。
【００２７】
本願第１２発明は、本願第１０発明において、前記電源線結合部は、表面から切開されて所定の高さに突き出された翼形状を有し、前記第１及び第２電源線を包んでいる外皮を固定する第１固定突起と、表面から切開されて所定の高さに突き出された翼形状を有し、前記第１及び第２電源線を固定する第２固定突起と、を含むことを特徴とする面光源装置を提供する。このように、翼形状を有する第１固定突起及び第２固定突起を通じて第１及び第２電源線を固定することで、はんだ付け工程をとり除くことができ、外部から加えられる外力によって第１及び第２電源線が容易に抜けないようにすることができる。
【００２８】
本願第１３発明は、本願第１発明において、前記第１及び第２外部電極は、前記光源本体の上部面と下部面に形成されることを特徴とする面光源装置を提供する。
【００２９】
本願第１４発明は、本願第１発明において、前記光源本体は、第１基板と、前記第１基板と一定の距離分だけ離隔されて対向する第２基板と、前記第１基板と第２基板との間に配置されて前記放電空間を形成する密封部材と、を含むことを特徴とする面光源装置を提供する。
【００３０】
本願第１５発明は、本願第１４発明において、前記光源本体は、前記放電空間内に配置され、前記放電空間を複数の放電領域で分割するために前記第１方向に垂直する第２方向に延長されて形成される複数の空間分割部材をさらに含むことを特徴とする面光源装置を提供する。
【００３１】
本願第１６発明は、本願第１５発明において、前記空間分割部材は、長さ方向の両端部のうち少なくとも一つの端部が前記密封部材と一定の距離で離隔されることを特徴とする面光源装置を提供する。
【００３２】
本発明の第２目的を達成するために、本願第１７発明は、光源、第１及び第２クリップ、収納容器、インバーター及び液晶表示パネルを含む液晶表示装置を提供する。
【００３３】
前記光源は放電空間を有する光源本体、前記光源本体の両端部の外側表面にそれぞれ第１方向に延長されるように形成される第１及び第２外部電極を含む。
【００３４】
前記第１及び第２クリップは前記光源本体に結合されて前記第１及び第２外部電極にそれぞれ接触される。
【００３５】
前記収納容器は前記光源を収納し、前記インバーターは前記光源に印加される放電電圧を発生させる。
【００３６】
前記液晶表示パネルは前記光源の上部に配置され、前記光源から発生された光を利用して映像を表示する。
【００３７】
本願第１８発明は、本願第１７発明において、前記第１及び第２クリップそれぞれは、
前記光源本体の上部面に配置される第１面と、前記第１面から延長されて前記光源本体の側面に配置される第２面と、前記第２面から延長されて前記光源本体の下部面に配置される第３面と、を含むことを特徴とする液晶表示装置を提供する。
【００３８】
本願第１９発明は、本願第１７発明において、前記第１及び第２クリップは、前記光源本体に前記第１方向に介在され前記第１及び第２外部電極にそれぞれ接触されることを特徴とする液晶表示装置を提供する。
【００３９】
本願第２０発明は、本願第１７発明において、前記第１クリップは、前記光源本体に前記第１方向に垂直する第２方向に介在され前記第１外部電極に接触され、前記第２クリップは前記第２方向の反対である第３方向に介在され前記第２外部電極に接触されることを特徴とする液晶表示装置を提供する。
【００４０】
本願第２１発明は、本願第１７発明において、前記収納容器は、底面及び前記底面から延長された側壁からなり、前記底面及び側壁には前記第１及び第２クリップの形状に対応される収納溝が形成されることを特徴とする液晶表示装置を提供する。
【００４１】
本願第２２発明は、本願第１７発明において、前記インバーターと前記第１及び第２クリップを電気的に連結するための制１及び第２電源線をさらに含むことを特徴とする液晶表示装置を提供する。
【００４２】
本願第２３発明は、本願第１７発明において、前記面光源と前記液晶表示パネルとの間に配置される光学シートをさらに含むことを特徴とする液晶表示装置を提供する。
【００４３】
このような面光源装置及びこれを有する液晶表示装置によると、第１及び第２クリップを通じて第１及び第２外部電極に放電電圧を印加することで、電気的、機具的信頼性を向上させることができる。
【発明の効果】
【００４４】
このような面光源装置及びこれを有する液晶表示装置によると、光源本体の両端部に形成された外部電極を有する面光源に外部電極と接触されるようにクリップを結合し、インバーターから発生された放電電圧をクリップを通じて外部電極に印加することで、電気的、機具的信頼性を向上させることができる。
【００４５】
また、外部電極とクリップとの間の接触面積を増加させることで、外部電極の実質的な面積を増加させ、面光源から発生される熱に対する放熱効率を向上させることができる。
【発明を実施するための最良の形態】
【００４６】
以下、図面を参照して本発明の望ましい一実施例をより詳細に説明する。
【００４７】
図１は本発明の一実施例による面光源装置を示す斜視図で、図２は図１のＡ１−Ａ２線に沿って切断した断面図である。
【００４８】
図１及び図２に示すように、本発明の一実施例による面光源装置１０００は面光源２００、インバーター３００、第１及び第２クリップ４１０、４２０を含む。
【００４９】
面光源２００は光源本体２１０、第１及び第２外部電極２２０、２３０を含む。光源本体２１０は第１基板２１１、第１基板２１１と一定間隔を置いて対向配置された第２基板２１２及び第１基板２１１と第２基板２１２との間に配置されて放電空間を形成する密封部材２１３を含む。第１及び第２外部電極２２０、２３０は光源本体２１０の両端部の外側表面にそれぞれ第１方向に延長されるように形成される。ここで、第１及び第２外部電極２２０、２３０は光源本体２１０の上部面または下部面のみに形成されることができるが、本実施例では光源本体２１０の上部面と下部面の全面にかけて形成される。
【００５０】
第１及び第２クリップ４１０、４２０は第１及び第２外部電極２２０、２３０が配置された光源本体２１０の両端部に介在される方式に結合される。第１及び第２クリップ４１０、４２０は光源本体２１０に第１方向に介在され、第１及び第２外部電極２２０、２３０とそれぞれ接触される。
【００５１】
インバーター３００は面光源２００を発光させるための放電電圧を発生させる。
【００５２】
一方、本発明の一実施例による面光源装置１００はインバーター３００と第１及び第２クリップ４１０、４２０を電気的に連結する第１及び第２電源線４６０、４７０をさらに含む。第１及び第２電源線４６０、４７０は第１及び第２クリップ４１０、４２０にはんだ付けされて固定される。
【００５３】
従って、インバーター３００から発生された放電電圧は第１及び第２電源線４６０、４７０と第１及び第２クリップ４１０、４２０を通じて第１及び第２外部電極２２０、２３０に印加される。
【００５４】
図３は図１に示された第１クリップを具体的に示す斜視図である。図１に示された第２クリップは第１クリップと同一の構造を有するので、その重複された説明は省略する。
【００５５】
図３に示すように、第１クリップ４１０は弾性を有する導電性物質からなる。第１クリップ４１０は光源本体２１０の上部面に配置される第１面４１２、第１面４１２から延長されて光源本体２１０の側面に配置される第２面４１４及び第２面４１４から延長されて光源本体２１０の下部面に配置される第３面４１６を含む。
【００５６】
このような構造を有する第１クリップ４１０は光源本体２１０の側面から第１方向に光源本体２１０に介在される。この時、第１クリップ４１０は光源本体２１０への挿入を容易くするために第１及び第３面４１２、４１６の端部が上下方向にそれぞれ折曲されるように形成される。光源本体２１０に介在された第１クリップ４１０は第１及び第３面４１２、４１６の弾性によって光源本体２１０に圧着固定される。従って、第１面４１２は光源本体２１０の上部面に形成された第１外部電極２２０と接触され、第３面４１６は光源本体２１０の下部面に形成された第１外部電極２２０と接触される。
【００５７】
一方、第１クリップ４１０は第１面４１２と第３面４１６との間の弾性力を高めるために第１面４１２と第３面４１６との間に形成されるスプリング（図示せず）をさらに含むことができる。また、第１クリップ４１０と光源本体２１０との間の結合力を高めるために第１クリップ４１０の多様な変形が可能である。
【００５８】
図４は図１に示された第１クリップの他の実施例を示す斜視図であり、図５は図４のＢ１−Ｂ２線に沿って切断した断面図である。
【００５９】
図４及び図５に示すように、本発明の他の実施例による第１クリップ５１０は光源本体２１０の上部面に配置される第１面５１２、第１面５１２から延長されて光源本体２１０の側面に配置される第２面５１４、第２面５１４から延長されて光源本体２１０の下部面に配置される第３面５１６、第１面５１２の端部から延長される第１折曲部５１７及び第３面５１６の端部から延長される第２折曲部５１８を含む。
【００６０】
第１折曲部５１７は第１面５１２の端部から延長されて光源本体２１０の上部面方向に折曲され、第２折曲部５１８は第３面５１６の端から延長されて光源本体２１０の下部面方向に折曲される。
【００６１】
光源本体２１０の上部面及び下部面には第１折曲部５１７及び第２折曲部５１８がそれぞれ結合される第１結合溝２１２ａ及び第２結合溝２１１ａが形成される。第１及び第２結合溝２１２ａ、２１１ａは第１クリップ５１０が光源本体２１０に介在された時、第１及び第２折曲部５１７、５１８の位置と対応されるように光源本体２１０の上部面及び下部面にそれぞれ形成される。
【００６２】
従って、第１クリップ５１０は光源本体２１０に介在された後、第１及び第２折曲部５１７、５１８が第１及び第２結合溝２１２ａ、２１１ａにそれぞれ結合されることによって、第１クリップ５１０と光源本体２１０との間の結合力を向上させ、第１クリップ５１０の流動及び離脱を防止することができる。
【００６３】
本発明の一実施例による第１及び第２クリップ４１０、４２０は第１及び第２電源線４６０、４７０との連結のための連結手段をさらに含むことができる。
【００６４】
図６は図１に示された第１クリップのまた他の実施例を示す斜視図である。
【００６５】
図６に示すように、本発明のまた他の実施例による第１クリップ６１０は光源本体２１０の上部面に配置される第１面６１２、第１面６１２から延長されて光源本体２１０の側面に配置される第２面６１４、第２面６１４から延長されて光源本体２１０の下部面に配置される第３面６１６及び第２面６１４に形成される電源線結合部６１８を含む。
【００６６】
電源線結合部６１８は第２面６１４の一部が切開されて外側に突き出されるように形成される。このような電源線結合部６１８には第１電源線４６０が介在され、電源線結合部６１８の突出部位を加圧することで、第１電源線４６０を固定する。電源線結合部６１８は第１電源線４６０を固定することができるなら多様な変形が可能である。このように、第１クリップ６１０の電源線結合部６１８に第１電源線４６０を連結することで、はんだ付け工程をとり除くことができる。
【００６７】
図７は図１に示された第１クリップのまた他の実施例を示す斜視図である。
【００６８】
図７に示すように、第１クリップ６２０は第１電源線４６０との連結のための電源線結合部６２２を含む。電源線結合部６２２は第１クリップ６２０の表面から所定高さに突き出された半円形態の突起形状を有し、電源線結合部６２２には第１電源線４６０が挿入されることができるようにホール６２４が形成されている。電源線結合部６２２は電源が印加されることができるように第１クリップ６２０と等しい金属性材質からなる。このような電源線結合部６２２はインバーター３００から印加される放電電圧が第１クリップ６２０を通じて第１外部電極２２０に伝達するように第１電源線４６０を固定する機能を遂行する。また、電源線結合部６２２に第１電源線４６０を挿入してはんだ付けすることで、電源線連結の組立性及び信頼性を向上させることができる。本実施例で、電源線結合部６２２は第１クリップ６２０の上部に形成されたが、第１クリップ６２０の側部または下部に形成されることもできる。
【００６９】
図８は図１に示された第１クリップのまた他の実施例を示す斜視図である。
【００７０】
図８に示すように、第１クリップ６３０は第１電源線４６０との連結のための電源線結合部６３２を含む。電源線結合部６３２は第１固定突起６３２及び第２固定突起６３４を含む。
【００７１】
第１固定突起６３２は第１クリップ６３０の表面から切開されて所定高さに突き出された翼形状を有し、前記第１電源線６４０を包んでいる外皮を固定する。第１固定突起６３２に外皮が包んでいる部分の第１電源線６４０を挿入した後所定の力を加えると、第１固定突起６３２は第１電源線６４０の外皮部分を包み固定するようになる。
【００７２】
第２固定突起６３４は第１固定突起６３２と同様に、第１クリップ６３０の表面から切開されて所定高さに突き出された翼形状を有し、外皮が形成されていない部分の第１電源線６４０を固定する。第２固定突起６３４に第１電源線６４０を挿入した後所定の力を加えると、第２固定突起６３４は第１電源線６４０を包み固定するようになる。
【００７３】
このように、翼形状を有する第１固定突起６３２及び第２固定突起６３４を通じて第１電源線４６０を固定することで、はんだ付け工程をとり除くことができ、外部から加えられる外力によって第１電源線４６０が容易に抜けないようにすることができる。
【００７４】
図９は図１に示された面光源装置の他の実施例を示す斜視図である。本実施例で、第１及び第２クリップを除く他の構成は図１の構成と同一であるので、その重複された説明は省略する。
【００７５】
図９に示すように、本発明の他の実施例による面光源装置２０００は第１及び第２クリップ７１０、７２０を含む。
【００７６】
第１クリップ７１０は第１外部電極２２０の長さ方向である第１方向に垂直する第２方向に光源本体２１０の一端部に介在される。光源本体２１０の一端部に介在された第１クリップ７１０は光源本体２１０の上部面及び下部面に形成された第１外部電極２２０と接触される。
【００７７】
第２クリップ７２０は第２方向の反対方向である第３方向に光源本体２１０の他端部に介在される。光源本体２１０の他端部に介在された第２クリップ７２０は光源本体２１０の上部面及び下部面に形成された第２外部電極２３０に接触される。
【００７８】
第１及び第２クリップ７１０、７２０は第１及び第２外部電極２２０、２３０が１方向に延長される延長長さと同一の長さを有するように形成される。従って、第１及び第２クリップ７１０、７２０と第１及び第２外部電極２２０、２３０とがそれぞれ接触される面積が増加される。このように、第１及び第２クリップ７１０、７２０と第１及び第２外部電極２２０、２３０との間の接触面積を増加させることで、電気的、熱的安全性をさらに向上させることができる。すなわち、前記接触面積が増加されることによって、第１及び第２クリップ７１０、７２０の補助的な外部電極役割が拡張され、補助的な放熱板としての役割も拡張される。また、外部から加えられる衝撃が光源本体２１０に直接的に加えられないように第１及び第２クリップ７１０、７２０が緩衝作用をすることで、機具的安全性を向上させることができる。
【００７９】
図１０は図１に示された面光源を具体的に示す部分切開斜視図であり、図１１は図１０のＣ１‐Ｃ２線に沿って切断した断面図である。
【００８０】
図１０及び図１１に示すように、面光源２１０は光源本体２１０、第１及び第２外部電極２２０、２３０を含む。
【００８１】
光源本体２１０は第１基板２１１、第１基板２１１と一定間隔を置いて対向配置された第２基板２１２及び第１基板２１１と第２基板２１２との間に配置されて放電空間を形成する密封部材２１３を含む。
【００８２】
第１及び第２基板２１１、２１２は可視光線は透過させて紫外線は遮断するガラス基板である。第１基板２１１の厚さは第２基板２１２厚さの約１/３程度であることが望ましい。密封部材２１３は第１基板２１１と第２基板２１２との間を密封して放電空間を形成する。この時、密封部材２１３は第１基板２１１または第２基板２１２と一体に形成されることで、別途の密封部材２３０形成工程をとり除くことができる。
【００８３】
光源本体２１０は放電空間内に配置される空間分割部材２１５をさらに含む。空間分割部材２１５は前記放電空間を複数の放電領域２１６で分割するために少なくとも一つ以上が互いに並んで等間隔に配置される。各空間分割部材２１５は第２方向に延長される棒形状を有し、第１基板２１１は第２基板２１２に上下部が密着される。また、各空間分割部材２１５は長さ方向の両端部のうち少なくとも一つの端部は密封部材２１３の内側面と一定の距離分だけ離隔されるように形成される。これは前記放電空間内部に存在する放電ガスが複数の放電領域２１６で均一に分布されることができるように連結通路を提供するためである。一方、空間分割部材２１５は密封部材２１３と互いに異なる材質からなることができるが、密封部材２１３形成の時、同じ材質で同時に形成されることもできる。
【００８４】
第１及び第２外部電極２２０、２３０は光源本体２１０の両端部の外側表面にそれぞれ第１方向に延長されるように形成される。本実施例で、第１及び第２外部電極２２０、２３０は第１基板２１１の外側表面及び第２基板２１２の外側表面に形成されるが、第１基板２１１の外側表面または第２基板２１２の外側表面のみに形成されることもできる。
【００８５】
第１及び第２外部電極２２０、２３０は導電性が優秀な材質、例えば、銅Ｃｕ、ニッケルＮｉ、アルミニウムテープ、銀ペーストなどを利用して形成され、外側表面でエネルギーを前記放電空間内部に供給しなければならないので十分な励起エネルギーを供給できるように十分な表面積を有するように形成される。
【００８６】
また、面光源２００は第１及び第２基板２１１、２１２の互いに向き合う対向面にそれぞれ形成された第１及び第２蛍光層２１７、２１８をさらに含む。第１及び第２蛍光層２１７、２１８は空間分割部材２１５が配置された領域を除いては第１及び第２基板２１１、２１２の対向面それぞれに薄い膜形態に形成される。この時、図示されなかったが、空間分割部材２１５の側面にも蛍光層が形成されることができる。このような第１及び第２蛍光層２１７、２１８は放電空間内のプラズマに起因して発生された紫外線によって可視光線を放出させる。
【００８７】
また、面光源２００は第１基板２１１と第１蛍光層２１７との間に形成される反射層２１９をさらに含むことができる。反射層２１９は第１及び第２蛍光層２１７、２１８によって発生された可視光線を第２基板２１２側に反射させる。
【００８８】
また、面光源２００は第１基板２１１と第１蛍光層２１７との間及び第２基板２１２と反射層２１９との間にそれぞれ形成される保護層（図示せず）をさらに含むことができる。前記保護層は第１及び第２基板２１１、２１２と放電空間に注入される放電ガスの主成分である水銀との化学的反応を防止する。
【００８９】
図１２は本発明の一実施例による液晶表示装置を示す分解斜視図であり、図１３は図１２に示された収納容器の一部分を拡大した斜視図である。
【００９０】
図１２及び図１３に示すように、本発明の一実施例による液晶表示装置３０００は面光源２００、第１及び第２クリップ４１０、４２０、収納容器８００、インバーター３００及び表示ユニット９００を含む。本実施例で、面光源２００、インバーター３００、第１及び第２クリップ４１０、４２０は図１に示された構成と同一であるので、その重複された説明は省略する。
【００９１】
表示ユニット９００は映像を表示する液晶表示パネル９１０、液晶表示パネル９１０を駆動するための駆動信号を提供するデータ及びゲート印刷回路基板９２０、９３０を含む。データ及びゲート印刷回路基板９２０、９３０はデータテープキャリアパッケージ（以下、ＴＣＰと称する）９４０及びゲートＴＣＰ９５０を通じて液晶表示パネル９１０と電気的に連結される。
【００９２】
液晶表示パネル９１０は薄膜トランジスタ（以下、ＴＦＴと称する）基板９１２、ＴＦＴ基板９１２と対向して結合されるカラーフィルター基板９１４及び前記２つの基板９１２と９１４との間に介在された液晶９１６を含む。
【００９３】
ＴＦＴ基板９１２はスイッチング素子であるＴＦＴ（図示せず）がマトリックス状に形成された透明なガラス基板である。前記ＴＦＴのソース及びゲート端子にはそれぞれデータ及びゲートラインが連結され、ドレイン端子には透明な導電性材質からなる画素電極（図示せず）が連結される。
【００９４】
カラーフィルター基板９１４は色画素であるＲＧＢ画素（図示せず）が薄膜工程によって形成された基板である。カラーフィルター基板９１４には透明な導電性材質からなる共通電極（図示せず）が形成される。
【００９５】
収納容器８００は底面８１０及び底面８１０のエッジ部から収納空間を形成するために延長された複数の側壁８２０からなる。収納容器８００の収納空間には面光源２００が収納される。複数の側壁８２０は底面８１０のエッジ部から垂直するように延長され収納された面光源２００の４つの側面と接するようになり、面光源２００の流動を防止する。
【００９６】
収納容器８００は第１及び第２クリップ４１０、４２０の形状に対応される収納溝８３０をさらに含む。収納溝８３０は第１及び第２クリップ４１０、４２０の収納位置に対応して収納容器８００の底面８１０及び側壁８２０に形成される。第１及び第２クリップ４１０、４２０が介在された状態で面光源２００が収納容器８００に収納される時、第１及び第２クリップ４１０、４２０は収納溝８３０に収納され、光源本体２１０の下部面及び側面はそれぞれ収納容器８００の底面８１０及び側壁８２０に接するように収納される。
【００９７】
また、収納容器８００の底面８２０には第１及び第２電源線４６０、４７０の出入りのための開口部８４０がさらに形成される。開口部８４０は収納溝８３０と隣接した位置に形成される。第１及び第２クリップ４１０、４２０に連結された第１及び第２電源線４６０、４７０は開口部８４０を通じて収納容器８００の外部に引き出しされてインバーター３００に連結される。
【００９８】
液晶表示装置３０００は光学シート９７０及びトップシャーシ９８０をさらに含む。
【００９９】
光学シート９７０は面光源２００と液晶表示パネル９００との間に配置される。光学シート９７０は面光源２００から出射される光の輝度及び輝度均一性を向上させる。これのため、光学シート９７０は光の拡散のための拡散シートまたは光の集光のためのプリズムシートを含むことができる。
【０１００】
トップシャーシ９８０は液晶表示パネル９１０のエッジ部を包み収納容器８００に結合される。トップシャーシ９８０は外部衝撃に対する液晶表示パネル９１０の破損を防止し、液晶表示パネル９１０が収納容器８００から離脱されることを防止する。
【０１０１】
以上、本発明の実施例によって詳細に説明したが、本発明はこれに限定されず、本発明が属する技術分野において通常の知識を有するものであれば本発明の思想と精神を離れることなく、本発明を修正することができる。
【図面の簡単な説明】
【０１０２】
【図１】本発明の一実施例による面光源装置を示す斜視図である。
【図２】図１のＡ１−Ａ２線に沿って切断した断面図である。
【図３】図１に示された第１クリップを具体的に示す斜視図である。
【図４】図１に示された第１クリップの他の実施例を示す斜視図である。
【図５】図４のＢ１−Ｂ２線に沿って切断した断面図である。
【図６】図１に示された第１クリップのまた他の実施例を示す斜視図である。
【図７】図１に示された第１クリップのまた他の実施例を示す斜視図である。
【図８】図１に示された第１クリップのまた他の実施例を示す斜視図である。
【図９】図１に示された面光源装置の他の実施例を示す斜視図である。
【図１０】図１に示された面光源を具体的に示す部分切開斜視図である。
【図１１】図１０のＣ１−Ｃ２線に沿って切断した断面図である。
【図１２】本発明の一実施例による液晶表示装置を示す分解斜視図である。
【図１３】図１２に示された収納容器の一部分を拡大した斜視図である。
【符号の説明】
【０１０３】
２００      面光源
２１０      光源本体
２２０、２３０      第１及び第２外部電極
３００      インバーター
４１０、４２０      第１及び第２クリップ
４６０、４７０      第１及び第２電源線
６１８      電源線結合部
８００      収納容器
８３０      収納溝
９００      表示ユニット
９１０      液晶表示パネル
９７０      光学シート
９８０      トップシャーシ
１０００、２０００      面光源装置
３０００      液晶表示装置
【図１】
2005174926.tif 000003
【図２】
2005174926.tif 000004
【図３】
2005174926.tif 000005
【図４】
2005174926.tif 000006
【図５】
2005174926.tif 000007
【図６】
2005174926.tif 000008
【図７】
2005174926.tif 000009
【図８】
2005174926.tif 000010
【図９】
2005174926.tif 000011
【図１０】
2005174926.tif 000012
【図１１】
2005174926.tif 000013
【図１２】
2005174926.tif 000014
【図１３】
2005174926.tif 000015